(57)【要約】【課題】  軽快な装着感を維持しつつ、ずれを防止する。【解決手段】  コルセットの腰部補強手段は、身体腰部に巻回可能な腰部ベルト（１００）の締め付け力により、補強板（４２０、４４０）を脊椎に当接することによって腰部を補強する。  腰部ベルトの先端部には、巻回状態の内面に面ファスナ（１０２、１０４）が形成され、前面の前基板面ファスナ（１２２）との係合によって、巻回長さを調節しつつ、腰部に固定し得る。  コルセットは、右、左大腿部にそれぞれ大腿部下部に結び付けられる、固定可能な大腿部固定紐（２００、２４０）を有する。腰部補強手段は連結部によって大腿部固定手段によって移動が規制され、常に適正位置で腰部を補強する。【選択図】  図１
2009034453.tif 000002
【特許請求の範囲】
【請求項１】
身体の腰部に巻回可能であり、該腰部を補強する腰部補強手段と、
身体の大腿部に固定可能な大腿部固定手段と、
前記腰部補強手段と前記大腿部固定手段とを連結する連結手段と、
を備えたコルセット。
【請求項２】
前記大腿部固定手段および連結手段は、排泄の障害とならないように、前記大腿部内側を略開放するよう形成されている、請求項１記載のコルセット。
【請求項３】
前記大腿部固定手段は大腿部中間部に固定される、請求項１または２記載のコルセット。
【請求項４】
前記大腿部固定手段は大腿部下部に固定される、請求項１または２記載のコルセット。
【請求項５】
前記大腿部固定手段は大腿部上部に固定される、請求項１乃至３のいずれかに記載のコルセット。
【請求項６】
前記大腿部固定手段は大腿部に結び付けられる紐である請求項１乃至５のいずれかに記載のコルセット。
【請求項７】
前記大腿部固定手段はパワーネット生地である請求項１乃至５のいずれかに記載のコルセット。
【請求項８】
前記大腿部固定手段は大腿部に巻付けられるベルトである請求項１乃至５のいずれかに記載のコルセット。
【請求項９】
前記ベルトは面ファスナを備え、この面ファスナによって巻付長さを調節し得る、請求項８記載のコルセット。
【請求項１０】
前記腰部補強手段は、
身体の脊椎に沿って配置される後基部と、
前記後基部に固定された補強部材と、
前記補強部材を該脊椎に当接させるように、前記腰部に巻付けられる腰部ベルトと、
前記腰部ベルトの巻回長さを調節する調節手段と、
を備えている請求項１乃至９いずれかに記載のコルセット。
【請求項１１】
前記連結手段によって前記後基部に連結され、かつ身体の前面に配置される前基部を備え、
前記調節手段は、前記前基部に設けられ、前記腰部ベルトの端部を係止する係止手段を備えた、
請求項１乃至１０のいずれかに記載のコルセット。
【請求項１２】
前記係止手段は面ファスナである請求項１１記載のコルセット。
【請求項１３】
前記連結手段は、薄く、かつ柔軟な布によって形成された請求項１乃至１２のいずれかに記載のコルセット。
【請求項１４】
前記連結手段の縦方向の伸びを防止する縫合ゴムをさらに備えた請求項１３記載のコルセット。
【発明の詳細な説明】
【技術分野】
【０００１】
本発明は、腰痛の予防、治療等に使用されるコルセットに関する。
【０００２】
この種のコルセットは、腰部を補強するように、所定位置に安定して固定される必要があるが、夜間安静状態ならばいざしらず、業務時間中等、ある程度の活動度が不可欠である場合には、コルセットが所定位置からずれることが多い。そこでコルセットずれを防止するために、コルセットを強く締めて装着することも行われるが、活動度の高い作業時には、使用者は強い圧迫感を感じ、長時間の使用が不可能である。
【０００３】
コルセットのずれ防止に関しては、例えば、特許文献１のコルセットが提案されている。同コルセットは、剛性の高い支柱部材４の上下端に、幅広の胸部ベルト３、骨盤ベルト２をそれぞれ取り付け、両ベルト２、３を胸部、骨盤に装着して、支持部材４とともに、強固に、身体屈曲を防止しつつ、コルセット自体のずれを防止する。
【０００４】
【特許文献１】特開２００６−１４９８４９号公報
【０００５】
【発明の開示】
【発明が解決しようとする課題】
【０００６】
特許文献１のコルセットは、コルセット全体が胴体に強固に固定されるが、２本の幅広ベルトの装着および高剛性支持部材による支持は、身体の運動性能を低下させるばかりでなく、使用者に圧迫感を与え、また、気温の高い季節には、暑さを助長する。
【０００７】
本発明はこのような従来の問題点を解消すべく創案されたもので、軽快な装着感を維持しつつ、ずれを防止し得るコルセットを提供することを目的とする。
【０００８】
【課題を解決するための手段】
【０００９】
本発明に係るコルセットは、身体の腰部に巻回可能であり、該腰部を補強する腰部補強手段と、身体の大腿部に固定可能な大腿部固定手段と、前記腰部補強手段と前記大腿部固定手段とを連結する連結手段とを備え、前記大腿部固定手段は、排泄の障害とならないように、前記大腿部内側を略開放するよう形成されている。これによって、軽快な装着感を維持しつつ、ずれを防止し得る。
【００１０】
本発明に係るコルセットにおいて、前記大腿部固定手段および連結手段を、排泄の障害とならないように、前記大腿部内側を略開放するよう形成することにより、利便性が高まる。また、コルセットを下着の下に着用する等、用途が大幅に拡大する。
【００１１】
本発明に係るコルセットにおいて、前記大腿部固定手段は大腿部上部、大腿部中間部または下部に固定され、紐、ベルト、パワーネット生地等によって構成される。そして、ベルトは例えば面ファスナによって巻付長さを調節し得る。
【００１２】
本発明に係るコルセットにおいて、前記腰部補強手段は、例えば、身体の脊椎に沿って配置される後基部と、前記後基部に固定された補強部材と、前記補強部材を該脊椎に当接させるように、前記腰部に巻付けられる腰部ベルトと、前記腰部ベルトの巻回長さを調節する調節手段とを備える。
【００１３】
本発明に係るコルセットは、例えば、前記連結手段によって前記後基部に連結され、かつ身体の前面に配置される前基部を備え、前記調節手段は、前記前基部に設けられ、前記腰部ベルトの端部を係止する係止手段を備える。そして前記係止手段は例えば面ファスナである。
【００１４】
本発明に係るコルセットにおいて、前記連結手段は、例えば、薄く、かつ柔軟な布によって形成され、何ら抵抗なく、下着の下にコルセットを装着し得る。
【発明の効果】
【００１５】
本発明によれば、軽快な装着感を維持しつつ、ずれを防止する。
【発明を実施するための最良の形態】
【００１６】
次に本発明に係るコルセットの好適な実施例を説明する。
【実施例１】
【００１７】
図１は、本発明に係るコルセットの実施例１の装着状態を示す正面図、図２は、実施例１の装着状態を示す背面図、図３は、実施例１の装着状態の立体形状を、身体を省略して示す前上方からの斜視図、図４は、実施例１の装着状態の立体形状を、身体を省略して示す後上方からの斜視図、図５は、図３の立体形状において、腰ベルトおよび足部固定紐を外した状態を示す斜視図、図６は、図４の立体形状において、腰ベルトおよび足部固定紐を外した状態を示す斜視図、図７は、実施例１の平置状態の前面を示す平面図、図８は、実施例１の平置状態の背面を示す平面図、図９は、図３の立体形状を示す、斜上前方から斜視図である。
【００１８】
図１〜図９において、コルセットは身体Ｂの腰部に巻回可能な腰部ベルト１００を有し、身体Ｂの脊椎に沿って配置される後基板（後基部）４００に固着されている。後基板４００には、補強板（補強部材）４２０、４４０が固着され、腰部ベルト１００の締め付け力により、補強板４２０、４４０が脊椎に当接することによって腰部が補強される。
【００１９】
さらに、コルセットは身体Ｂの前面に配置される前基板（前基部）１２０を有し、前基板１２０の表面には面ファスナ１２２が形成されている。腰部ベルト１００の先端部には、巻回状態の内面に面ファスナ１０２、１０４が形成され、面ファスナ１２２との係合によって、巻回長さを調節しつつ、腰部ベルト１００を腰部に固定し得る。
【００２０】
前基板１２０、後基板４００は、身体Ｂの右、左にそれぞれ配置される連結部（連結手段）３００、３２０によって相互に連結され、腰部ベルト１００を巻回する前の状態（図５、６）において、前基板１２０が身体Ｂ前面の所定位置に位置することになり、腰部ベルト１００の巻回、装着が容易である。
【００２１】
前基板１２０（面ファスナ１０２、１０４）、１２２は協働して調節手段として機能する。一方、腰部ベルト１００、後基板４００、補強板４２０，４４０は協働して、腰部補強手段として機能する。
【００２２】
コルセットは、身体Ｂの右、左大腿部にそれぞれ固定可能な大腿部固定紐（大腿部固定手段）２００、２４０を有し、大腿部固定紐２００、２４０は大腿部下部に結び付けられる。大腿部固定紐２００、２４０は、連結部３００によって、前基板１２０、後基板４００に連結され、腰部補強手段は、大腿部固定紐２００、２４０によって移動、特に上方への移動が規制されている。腰部ベルト１００は腰骨によって下方への移動は規制されているため、大腿部固定手段２００、２４０による上方への移動規制によって、コルセットのずれは完全に防止される。これによって、コルセットは常に適正位置で腰部を補強する。
【００２３】
連結部３００、３２０の下端部は、大腿部を包囲する筒状に形成され、かつ大腿部固定紐２００、２４０を挿通し得る紐通路２２０、２６０が形成されている。これによって、大腿部固定紐２００、２４０は常に腰部補強手段に連結され、また大腿部固定紐２００、２４の脱落が防止される。
【００２４】
このようなずれ防止の機能は、腰部補強手段２００、２４０および連結部３００、３２０のみによって実現され、コルセットの軽快な装着感が保証されている。また連結部３００、３２０は薄く、柔軟な布によって形成され、装着感の軽快さが高められている。
【００２５】
さらに、連結部３００、３２０には、大腿部内側を略開放するように開放部３４０、３６０が形成され、また、大腿部固定紐２００、２４０は大腿部下部に位置しているので大腿部内側の開放を阻害することがない。これによってコルセットは、排泄の障害とならず、コルセットを下着の下に着用する等、用途が大幅に拡大する。下着の下への着用については、連結部３００、３２０を薄く、柔軟な布によって形成することは、極めて有効である。
【００２６】
なお、連結部３００、３２０を薄く、柔軟な布とした場合、例えば、縫合ゴム３０２、３２２（図１、２）を縫合することによって、連結部３００、３２０の伸びを防止でき、かつその弾性によって装着感が阻害されない。
【００２７】
連結部３００、３２０を吸水性に優れた布とすれば、汗を吸収することができ、着用感が良好となる。
【００２８】
以上のとおり、実施例１は、軽快な装着感を維持しつつ、ずれを防止する。
【００２９】
なお大腿部固定紐２００、２４０は大腿部上部（実施例５）あるいは中間部に固定することも可能である。
【００３０】
【実施例２】
【００３１】
次に、本発明に係るコルセットの実施例２を図面に基づいて説明する。
【００３２】
図１０は、本発明に係るコルセットの実施例２の装着状態を示す正面図、図１１は、実施例２の装着状態を示す背面図、図１２は、実施例２の平置状態の前面を示す平面図、図１３は、実施例２の平置状態の背面を示す平面図、図１４は、実施例２の装着状態の立体形状を、身体を省略して示す、斜上前方からの斜視図である。
【００３３】
実施例２は、実施例１における大腿部固定紐２００、２４０（大腿部固定手段）をパワーネット生地８００、８０２に変更し、大腿部固定手段の固定位置を大腿部中間部に変更したものである。パワーネット生地はストレッチ性のあるネット状の生地であり、連結部３００の下部に連結されている。パワーネット生地は穏やかな締め付け状態で、コルセットＣのずれを防止でき、被介護者等、障害者、患者等の装用に好適である。
【００３４】
実施例２の他の構成は、実施例１と同様であるので、説明を省略する。
【００３５】
図１０〜図１４において、パワーネット生地８００、８０２は大腿部中間部を包囲する環状に形成され、大腿部中間部を穏やかに締め付けつつ、コルセットＣのずれを防止する。パワーネット生地８００、８２０による締め付けは、大腿部下部、上部とすることも可能であるが、おだやかな締め付け状態を維持する上で、中間部が好適である。すなわち、実施例２は実施例１の効果に加え、装着状態が穏やかであるという効果を奏する。
【実施例３】
【００３６】
次に、本発明に係るコルセットの実施例３を図面に基づいて説明する。
【００３７】
図１５は、本発明に係るコルセットの実施例３における、装着状態立体形状を、身体を省略して示す斜上前方からの斜視図、図１６は、図１５の立体形状において、腰ベルトおよび足部固定ベルトを外した状態を示す斜視図である。
【００３８】
実施例３は、実施例１における大腿部固定紐２００、２４０を大腿部固定ベルト５００、５２０、５４０、５６０に変更したものである。大腿部固定ベルト５００、５２０は連結部３００の後面に固着され、連結部３００の前面には、大腿部固定ベルト５００、５２０を係止する面ファスナ５３０が設けられている。大腿部固定ベルト５４０、５６０は連結部３２０の後面に固着され、連結部３２０の前面には、大腿部固定ベルト５４０、５６０を係止する面ファスナ５５０が設けられている。
【００３９】
実施例３の他の構成は、実施例１と同様であるので、説明を省略する。
【００４０】
大腿部固定ベルト５００、５２０、５４０、５６０は大腿部固定紐２００、２４０に比較して固定、解放の操作が容易であり、コルセットの操作性が向上する。すなわち、実施例３は実施例１の効果に加え、操作性が高いという効果を奏する。なお、実施例１は、大腿部固定ベルト５００、５２０、５４０、５６０の素材に対するアレルギの問題等は生じることはなく、また実施例３に比較して製造原価を低減し得る。
【００４１】
なお大腿部固定ベルト５００、５２０、５４０、５６０を大腿部上部（実施例４）あるいは中間部に固定することも可能である。
【実施例４】
【００４２】
次に、本発明に係るコルセットの実施例４を図面に基づいて説明する。
【００４３】
図１７は、本発明に係るコルセットの実施例４の装着状態を示す正面図、図１８は、実施例４の装着状態の立体形状で、股部固定ベルトを外し、身体を省略して示す、前上方からの斜視図である。
【００４４】
実施例４は、実施例２における大腿部固定ベルト５００、５２０、５４０、５６０を、大腿上部固定ベルト６００、６２０、６４０、６６０に変更したものである。
【００４５】
大腿上部固定ベルト６００、６２０は、大腿上部外面で連結部３００に連結され、大腿内側に向かって斜下方に延びており、右大腿上部で身体Ｂの股に掛けられる。大腿上部固定ベルト６００の内面には面ファスナ６０２が設けられ、大腿上部固定ベルト６２０の外面には面ファスナ６２２が設けられており、面ファスナ６０２、６２２相互を係合することによって、大腿上部固定ベルト６００、６２０は連結される。これによって、大腿上部固定ベルト６００、６２０は、右大腿上部で身体Ｂの股に掛けられる。
【００４６】
大腿上部固定ベルト６４０、６６０は、大腿上部外面で連結部３２０に連結され、大腿内側に向かって斜下方に延びており、左大腿上部で身体Ｂの股に掛けられる。大腿上部固定ベルト６６０の内面には面ファスナ６６２が設けられ、大腿上部固定ベルト６４０の外面には面ファスナ６４２が設けられており、面ファスナ６６２、６４２相互を係合することによって、大腿上部固定ベルト６４０、６６０は連結される。これによって、大腿上部固定ベルト６４０、６６０は、左大腿上部で身体Ｂの股に掛けられる。
【００４７】
このように、大腿部固定手段６００、６２０、６４０、６６０は、大腿部上部において股に掛けるものであってもよく、軽快感、排便等の利便性も確保される。
【００４８】
大腿部固定手段を大腿上部で股に掛ける構成としたことにより、連結部３００、３２０は上下方向長さを短縮できる。
【００４９】
実施例４の他の構成は実施例２と同様であるので、説明を省略する。
【実施例５】
【００５０】
次に、本発明に係るコルセットの実施例５を図面に基づいて説明する。
【００５１】
図１９は、本発明に係るコルセットの実施例５の装着状態を示す正面図である。
【００５２】
実施例５は、実施例４における大腿上部固定ベルト６００、６２０、６４０、６６０を、大腿上部固定紐７００、７２０、７４０、７６０に変更したものである。  
【００５３】
実施例５は、実施例１同様、紐によるコルセット固定が可能であり、アレルギ対策、製造原価低減に効果がある。
【産業上の利用可能性】
【００５４】
以上の実施例では腰痛予防、治療のためのコルセットについて説明したが、腰部に固定する種々の医療器具、健康器具に本発明を適用し得ることはいうまでもない。
【００５５】
【図面の簡単な説明】
【００５６】
【図１】本発明に係るコルセットの実施例１の装着状態を示す正面図である。
【図２】実施例１の装着状態を示す背面図である。
【図３】実施例１の装着状態の立体形状を、身体を省略して示す前上方からの斜視図である。
【図４】実施例１の装着状態の立体形状を、身体を省略して示す後上方からの斜視図である。
【図５】図３の立体形状において、腰ベルトおよび足部固定紐を外した状態を示す斜視図である。
【図６】図４の立体形状において、腰ベルトおよび足部固定紐を外した状態を示す斜視図である。
【図７】実施例１の平置状態の前面を示す平面図である。
【図８】実施例１の平置状態の背面を示す平面図である。
【図９】図３の立体形状を示す、斜上前方からの斜視図である。
【図１０】本発明に係るコルセットの実施例２の装着状態を示す正面図である。
【図１１】実施例２の装着状態を示す背面図である。
【図１２】実施例２の平置状態の前面を示す平面図である。
【図１３】実施例２の平置状態の背面を示す平面図である。
【図１４】実施例２の装着状態の立体形状を、身体を省略して示す、斜上前方からの斜視図である。
【図１５】本発明に係るコルセットの実施例３における、装着状態立体形状を、身体を省略して示す斜上前方からの斜視図である。
【図１６】図１５の立体形状において、腰ベルトおよび足部固定ベルトを外した状態を示す斜視図である。
【図１７】本発明に係るコルセットの実施例４の装着状態を示す正面図である。
【図１８】実施例４の装着状態の立体形状で、股部固定ベルトを外し、身体を省略して示す、前上方からの斜視図である。
【図１９】本発明に係るコルセットの実施例５の装着状態を示す正面図である。
【符号の説明】
【００５７】
Ｂ  身体
Ｃ  コルセット
１００  腰部ベルト
１０２、１０４、１２２、５０２、５０４、５２２、５２４、５３０，５４２、５４４、５５０、５６２、５６４、６０２、６２２、６４２、６６２  面ファスナ部
１２０  前基板
２００、２４０  大腿部固定紐
２２０、２６０  紐通路
３００、３２０  連結部
３０２、３２２  縫合ゴム
３４０、３６０  開放部
４００  後基板
４２０、４４０  補強版
５００、５２０、５４０、５６０  大腿部固定ベルト
６００、６２０、６４０、６６０  大腿上部固定ベルト
７００、７２０、７４０、７６０  大腿上部固定紐
８００、８２０  パワーネット生地
【図１】
2009034453.tif 000003
【図２】
2009034453.tif 000004
【図３】
2009034453.tif 000005
【図４】
2009034453.tif 000006
【図５】
2009034453.tif 000007
【図６】
2009034453.tif 000008
【図７】
2009034453.tif 000009
【図８】
2009034453.tif 000010
【図９】
2009034453.tif 000011
【図１０】
2009034453.tif 000012
【図１１】
2009034453.tif 000013
【図１２】
2009034453.tif 000014
【図１３】
2009034453.tif 000015
【図１４】
2009034453.tif 000016
【図１５】
2009034453.tif 000017
【図１６】
2009034453.tif 000018
【図１７】
2009034453.tif 000019
【図１８】
2009034453.tif 000020
【図１９】
2009034453.tif 000021